(57)【要約】【課題】多層記録媒体の記録／未記録の境界近傍を透過または反射したレーザ光の強度変動の影響を受けて対向する情報記録層の記録再生において、サーボ信号が変動するためサーボが不安定になる。【解決手段】多層記録媒体の中間層を介して隣接する２つの情報記録層に複数の分割ファイル領域を形成し、各ファイル領域の最外周半径位置を、初めに記録する第一情報記録層に対して、次に記録する第二情報記録層の位置を中間層の膜厚以上に内側に離すことによって、記録／未記録の境界近傍に対向する領域におけるコントラスト変動によってサーボが不安定になることを回避し、安定な記録再生が可能な光ディスクシステムを提供する。【選択図】図１
2008171457.tif 000002
【特許請求の範囲】
【請求項１】
２層以上の複数の情報記録層を備えた光ディスクを、複数のファイル情報領域に分割して記録する光ディスクシステムにおいて、第一番目に記録する第一情報記録層と、これに透明中間層を介して隣接する第二番目に記録する第二情報記録層の各分割領域の最外周位置が、対応する前記第一情報領域層より内周側に設定して初期フォーマット化することを特徴とする光ディスクシステム。
【請求項２】
請求項１の光ディスクシステムに用いる光ディスク駆動装置において、各分割領域の前期第二情報記録層の最外周半径位置が、対応する前記第一情報記録層の最外周半径位置より、前記透明中間層の膜厚以上離して内周側になるようにアドレス情報を設定して初期フォーマット化することを特徴とする光ディスク駆動装置。
【請求項３】
請求項１の光ディスクシステムに用いられる複数の情報記録層を備えた光ディスクにおいて、前記第二情報記録層の各分割領域の最外周半径位置でのアドレス情報が、対応する前期第一情報記録層の最外周半径位置より前記中間層膜厚以上内側に離れた半径位置にあるアドレス情報であるセクタ番号、もしくはそのカウンタアドレスとなるアドレス番号に設定されて初期フォーマット化されていることを特徴とする光ディスク。
【請求項４】
請求項１の光ディスクシステムに用いられる複数の情報記録層を備えた光ディスクにおいて、前記第二情報記録層のユーザデータ領域の最内周半径位置が、前記第一情報記録層のユーザデータ領域の最内周半径位置より前記中間層膜厚以上内側に離れた半径位置になるように配置され、かつ、そのアドレス情報がセクタ０、もしくはそのカウンタアドレスとなるアドレス番号になるように形成されたことを特徴とする光ディスク。
【請求項５】
請求項１の光ディスクシステムにおいて、このシステムに用いられる複数の情報記録層を備えた光ディスクの各分割領域の最外周半径位置にファイル情報のリンキングのための記録トラックを形成し、リンキング情報を記録することを特徴とする光ディスクシステム。
【発明の詳細な説明】
【技術分野】
【０００１】
本発明は、少なくとも２層以上の情報記録層を備えた光ディスクに関し、更に詳細には、各情報記録層に記録するファイル、或いはファイルホルダのレイアウトおびその記録方法、装置に関する。
【背景技術】
【０００２】
近年、デジタル化された音声・音楽，画像・映像やデータなどの保存用光情報記録媒体としてＣＤやＤｉｇｉｔａｌ  Ｖｅｒｓａｔｉｌｅ  Ｄｉｓｃ（ＤＶＤ）等の光ディスクが実用化されているが、増大したデータや長時間映像の保存を目的として情報記録層を２層備えたタイプの光ディスクが実用化されている。２層の情報記録層を持つ光ディスクの一例として、例えばＩＳＯ規格の１３０ｍｍ光磁気ディスクなどでは、ディスクの両面に情報記録層を持たせているため、２層を記録再生するためにはディスクを裏返しにしてドライブに装着する必要があったが、ＤＶＤでは片面側から光を入射しての情報の再生が可能なように、光の入射側から見て手前側の情報記録層の光透過率を調整し、奥側の情報記録層の再生を可能にする構成としているため、ディスクを裏返さずに２層の情報記録層の再生が可能になっている。
【０００３】
ところで、ハイビジョンの映像を２時間以上記録できる次世代の光ディスクとして、Ｂｌｕ−Ｒａｙ  Ｄｉｓｃ（ＢＤ）とＨＤ  ＤＶＤの二つの規格が提案されている。ＢＤは単層で２５ＧＢ、ＨＤ    ＤＶＤ−Ｒは単層で１５ＧＢの容量であるが、ＤＶＤ−Ｒ／ＤＬのように片面２層の情報記録層を持つＢＤ−ＲＥ／ＤＬ、ＨＤ  ＤＶＤ−Ｒ／ＤＬや、例えば特許文献１のような、３層以上の情報記録層を持つタイプが提案されている。
【０００４】
【特許文献１】特開２００３−９１８６８号公報
【発明の開示】
【発明が解決しようとする課題】
【０００５】
現在市販されているＤＶＤ記録再生装置で使用される片面２層記録媒体の情報記録層間の距離は４０μｍから７０μｍであり、十分な距離があるため、各情報記録層間のクロストークは殆どユーザデータの記録再生に影響を与えない。しかしながら、ＢＤやＨＤ  ＤＶＤにおいて、片面２層記録媒体の情報記録層間の距離は２０μｍから３０μｍと小さくなり、各情報記録層間のクロストークの影響を受けやすくなる。相変化記録膜を用いるＢＤ−ＲＥ／ＤＬ或いは記録前反射率が低いため、サーボ信号の振幅が小さくなる。さらに、記録後反射率が増加するＬｏｗ  ｔｏ  Ｈｉｇｈ記録のＨＤ  ＤＶＤ−Ｒ／ＤＬでは、ユーザデータが記録された部分と記録されていない部分の境界（以下、記録／未記録の境界と略す）ではコントラスト差が大きくなり、情報記録層間クロストークの影響が加わるため、サーボが不安定になる。このため、前記記録済み領域に対向する情報記録層を記録中に境界領域近傍でフォーカス変動やトラックサーボが振られることによって正確に記録できなくなる可能性が大きくなる。
【０００６】
本発明の目的は、上記問題を解決するため、情報記録層間の距離が小さく、少なくとも２層以上の記録層を持つ多層記録媒体であっても、確実に記録再生のできる多層記録媒体及びその記録再生方法・装置を提供することにある。
【課題を解決するための手段】
【０００７】
本発明の特徴は、記録するユーザデータであるファイル或いは複数のファイルから構成されるファイルホルダのレイアウトについて、初めに記録する第一情報記録層の外周記録終了半径位置と、第一情報記録層と透明中間層を介して隣接し、次に記録する第二情報記録層の外周記録半径位置をずらし、必ず第一情報記録層の外周記録終了半径位置の方を外周側に大きくなるように設定することで、第二情報記録層は第一情報記録層の記録済み領域に対向する領域の範囲内にしか記録しないので、境界領域のコントラスト変動の影響を受けなくなることにある。また、第一情報記録層も第二情報記録層の未記録領域に対向する領域にしか記録しないので、境界領域のコントラスト変動の影響を受けなくなる。すなわち、第一情報記録層にひとつのファイル又は複数ファイルを記録する場合、対向する第二情報記録層は未記録状態にあり、記録／未記録の境界は存在しないので全く問題ないが、続けて第二情報記録層に記録する場合、記録済みの第一情報記録層には記録／未記録の境界が存在するので、境界部近傍に対向する第二情報記録領域への記録再生において、第一情報記録層を透過する記録再生レーザ光の透過率変化による第二情報記録層への入射レーザ光強度が変動し、サーボ信号も大きく変動するためサーボが不安定になる。これに対して、第二情報記録領域に記録する領域を記録済みの第一情報記録領域の範囲より内側になる（ファイルの記録半径位置が、内周側はより外周側に、外周側はより内周側になる）ように制限することで、記録再生時に記録／未記録の境界を入射レーザ光が透過しない、又はほとんど影響を受けないようにできるため、サーボ信号の変動がなく安定する。記録再生に用いるレーザ波長やレンズ開口数（ＮＡ）・アパーチャによって異なるが、半径方向に中間層厚以上ずらせばほとんど影響を受けなくなるので、第二情報記録領域の範囲は、例えば、ＢＤやＨＤ  ＤＶＤでは３０μｍ程度狭くすれば良い。
【０００８】
一方、ＤＶＤ−Ｒ／ＤＬ、ＨＤ  ＤＶＤ−Ｒ／ＤＬやＢＤ−ＲＥ／ＤＬといった片面２層記録媒体に映像情報を記録するビデオレコーダでは、パラレルトラックパスではなく、オポジットトラックパスでの録画・再生が用いられる。片面２層記録媒体に記録途中の映像データを再生する場合、第二情報記録層にユーザデータが記録されると、第一情報記録層を再生する場合は必ず第二情報記録層の記録境界領域に対向した領域を再生することになる。特に、ＨＤ  ＤＶＤ−Ｒ／ＤＬではＬｏｗ  ｔｏ  Ｈｉｇｈ記録であるため記録／未記録の境界のコントラスト差が大きく、この境界近傍でのコントラストの急変により第一情報記録層の再生においてサーボが不安定になるので、再生画像の乱れや再生停止が発生する可能性が高くなる。一方、本発明では、第一情報記録層に記録した領域が第二情報記録層の領域より外周側に大きくなるようにファイルレイアウト又はファイルホルダレイアウトを設定し、かつ第一情報記録領域及び第二情報記録領域にまたがって記録することにより、サーボが不安定になる記録／未記録の境界を再生することがなくなる。すなわち、第一情報記録層に記録したユーザデータの外周部は追記の際のリンキングや最外周ではミドルエリアとなり、第一情報記録層の再生の際は第二情報記録層の記録境界に対向した領域を再生しないので、コントラスト変動によるサーボへの影響は殆ど受けない。従って、データ記録を完了してファイナライズ処理をしなくても、記録途中の画像データを再生することが可能になる。特に、対向する複数の記録層の間に存在する中間層膜がＤＶＤより薄くなるＢＤやＨＤ  ＤＶＤの２層記録媒体で効果が大きく、３層以上の多層記録媒体ではさらに有効である。
【発明の効果】
【０００９】
本光ディスクの構成によれば、２層以上の記録層を備えた多層情報記録媒体において複数のファイル領域に分割して記録する場合に、最初に記録する情報記録層のファイル領域最外周位置より、次に記録する情報記録層のファイル領域最外周位置を、対向する情報記録層の間にある中間層膜厚以上に内側に設定することで、ファイナライズ処理を行っていない記録途中のユーザデータ、特にビデオレコーダ用画像データを記録済み外周半径位置近傍での乱れや停止のない再生が可能となる。
【発明を実施するための最良の形態】
【００１０】
以下、実施例を用いて本発明における光ディスクの構造を説明する。
（実施例１）
本発明の光ディスクの断面構造を図１に模式的に示す。本実施例ではＨＤ  ＤＶＤ−Ｒ／ＤＬを例に説明する。断面構造は、情報記録層積層構造、溝形状や層間距離などの詳細事項を除き、基板１、第一情報記録層２、透明中間層を兼ねる第二情報層３、第二情報記録層４、接着層５、ダミー基板６の構成は現行市販されているＤＶＤ−Ｒ／ＤＬと同じである。図２に示す本発明の光ディスクにおける平面レイアウトが第一情報記録層に設けられている。この平面レイアウトは、フォーマッタで生成した信号を記録するマスタリング工程で形成され、ニッケルスタンパが作成される。このニッケルスタンパを金型に取り付け、ポリカーボネートやアモルファスポリオレフィンのような透明なエンジニアリングプラスチックの射出成型によってフォーマットパターンを複製した基板１が得られる。フォーマットパターンは内周から順に媒体種・記録容量・記録条件などの媒体管理情報を含むリードイン領域１１、ユーザデータを記録する第一情報記録領域１２、ミドルエリア１３が記録されている。この基板１に第一情報記録層２として色素溶液を塗布・乾燥後に反射膜として銀合金反射膜をスパッタにより形成する。次に、外周から順にミドルエリア、第二情報記録領域、リードアウト領域を形成したスタンパからフォーマットパターンを複製した樹脂製ソフトスタンパを作成し、第一情報記録層２を形成した基板１とソフトスタンパの間に紫外線硬化性樹脂をスピン塗布、紫外線硬化した後、ソフトスタンパを剥離し、第二情報層３を形成する。第二情報層３に形成されるフォーマットパターンには基板１に形成たれたフォーマットパターンのアドレス情報に対するカウンタアドレス情報が記録される。第二情報層３上に色素溶液を塗布・乾燥後、銀合金反射膜を形成し第二情報記録層４とする。第二情報記録層４とダミー基板５の間に紫外線硬化性樹脂接着剤をスピン塗布、紫外線硬化し、図１に示す断面構造の光ディスク１０を得る。
【００１１】
次に、本実施例の光ディスク１０であるＨＤ  ＤＶＤ−Ｒ／ＤＬディスクをＨＤ  ＤＶＤ−Ｒレコーダで画像情報を録画するステップについて説明する。最初に、ＨＤ  ＤＶＤ−Ｒ／ＤＬディスクをＨＤ  ＤＶＤ−Ｒレコーダに装着すると、ディスクのリードイン領域に記録されている媒体管理情報をレコーダが読み取る。第二のステップとして、図３に示すファイルレイアウトに従ってユーザが設定した初期化情報がレコーダに記憶される。ＨＤ  ＤＶＤ−Ｒ／ＤＬの記録容量は３０ＧＢあるので、５ＧＢ単位の６つのハイビジョン映像ファイルを記録する場合を例に説明する。第１の映像ファイルは図３の第１ファイル領域、第２の映像ファイルは図３の第２ファイル領域、第ｎの映像ファイルは図３の第ｎファイル領域に記録される。第３のステップとして、第１ファイル領域に第１の映像ファイルを記録する時、第一情報記録層と第二情報記録層に約２．５ＧＢづつ記録されるが、第一情報記録層の第１ファイル領域の外周半径位置は第二情報記録層の外周半径位置より大きくなるように記録されている。また、第１ファイルの最外周にはリンキングのための情報トラックも記録される。このため、第１ファイル領域に記録された第１の映像ファイルは第１ファイル領域の記録端部を含まないため、画像再生においてもサーボが不安定になる領域を再生しないので安定して再生することができる。第４のステップとして、第２の映像ファイルを第１の映像ファイルに追記する。第一情報記録層に対向する第二情報記録層は常に未記録状態にあるので、サーボが安定した状態で記録できる。第一情報記録層の第２ファイル外周で第ニ情報記録層に切り替わるが、半径位置が内側になるので、対向した第一情報記録層は常に記録状態にあり、サーボが安定した状態で記録できる。第ｎの映像ファイルの記録においても同様に安定した記録が行える。最後の第６の映像ファイルを記録終了後、ミドルエリアも第一情報記録層、第二情報記録層の順に記録し、最後に第二情報記録層のリードアウト領域１４にファイナライズのための記録をする。
【００１２】
（実施例２）
実施例１においては、２層の情報記録層の記録方向が半径方向に逆になるオポジット記録型の光ディスクについて例示した。記録型ＤＶＤ、記録型ＢＤ、記録型ＨＤ  ＤＶＤのいずれもオポジット記録型しか規定されていないが、再生専用ＤＶＤでは記録方向が半径方向に同一であるパラレル記録型が規定されている。本実施例では、パラレル記録型光ディスクについて説明する。光ディスクの断面構造及び光ディスクの製造方法は実施例１と同じである。しかしながら、図２に示す平面レイアウトに対応するフォーマットが異なる。ここでは、図１の断面構造に示す第一情報記録層２を形成する基板１には内周から順に媒体種・記録容量・記録条件などの媒体管理情報を含むリードイン領域２１、ユーザデータを記録する第一情報記録領域２２、第一情報層のリードアウト領域２３がフォーマットパターンとして記録される。また図１の第二情報層３には第二情報層の管理情報を含むリードイン領域３１、ユーザデータを記録する第二情報記録領域３２、第二情報層のリードアウト領域３３がフォーマットパターンとして記録される。それぞれの情報層のフォーマットパターンにはレイヤ情報を除いて同じアドレス情報が記録され、ユーザデータ領域はセクタ０から始まる。
【００１３】
本実施例の光ディスク２０を光ディスク駆動装置に装着し、ユーザデータ領域を５等分して初期フォーマット化する。次に記録すべきファイル情報を第１番目のファイル領域に記録する。第1番目のファイル領域は第一情報記録領域２２と第二情報記録領域３２にまたがっており、第1番目のファイル領域に含まれる第二情報記録領域３２の最外周のアドレス情報は、第1番目のファイル領域に含まれる第一情報記録領域２２の最外周アドレス情報よりセクタ番号が小さくなるように設定されている。設定するセクタ番号は半径に比例して第一情報記録領域２２のセクタ番号との差が大きくなるが、半径方向に３０μｍ内側に戻った位置のエラー訂正ブロック最後のセクタ番号を設定する。記録後の第１番目のファイル領域最外周にはリンキングのための情報トラックが形成される。以下、第２番目のファイル領域，・・・・・，第５番目のファイル領域に記録されるが、途中段階で第ｎ番目のファイル領域を記録する場合も第二情報記録領域３２の記録済み最外周位置が第一情報記録領域２２の記録済み最外周位置より３０μｍ内側にあるので、記録／未記録の境界に対向する位置をまたいで記録する状態がなくなり、サーボ信号変動によってサーボ信号が不安定になることはない。
【００１４】
本実施例では、初期フォーマット化の段階で各ファイル領域のアドレス番号を設定したが、フォーマットパターンを形成する第二情報層３のスタンパ作成の段階で３０μｍ内周側からセクタ０のアドレス情報を形成しても良い。さらに、２層を形成する際の偏心を考慮するとさらに２０μｍ程度内周側にセクタ０のアドレス情報を形成することになる。この場合、駆動装置のピックアップレンズから見た同じセクタ番号位置のずれは偏心を含めても１００μｍ以下に収まるので、アクセス動作には影響を与えない。
【図面の簡単な説明】
【００１５】
【図１】本発明の光ディスクの断面構造を模式的に示した図である
【図２】本発明の光ディスクにおける平面構造を模式的に示した図である
【図３】本発明の光ディスクにおける各記録層のファイルレイアウトを模式的に表した図である
【符号の説明】
【００１６】
１    基板
２    第一情報記録層
３    第二情報層
４    第二情報記録層
５    接着層
６    ダミー基板
１０    光ディスク
１１    第一情報記録層のリードイン領域
１２    ユーザデータ領域
１３    ミドルエリア
１４    第二情報記録層のリードアウト領域
２１    第一情報記録層のリードイン領域
２２    第一情報記録層のユーザデータ領域
２３    第一情報記録層のリードアウト領域
３１    第二情報記録層のリードイン領域
３２    第二情報記録層のユーザデータ領域
３３    第二情報記録層のリードアウト領域
【図１】
2008171457.tif 000003
【図２】
2008171457.tif 000004
【図３】
2008171457.tif 000005